(57)【要約】      （修正有）【課題】機器搭載用のハニカムベンチの部材の伸びや縮みを抑制するように、ベンチの上下面の温度を一定に保つ、極めて簡単で安価な装置を提供する。【解決手段】ハニカムコアの上下端縁を被うように上面板及び下面板を固定して成るハニカムベンチ１において、上面板及び下面板の各内側面に当接又は近接させて、上面板及び下面板のほぼ全面に管路８を張り巡らし、管路８内に一定の温度の冷温媒体を挿通する構成とした。【選択図】図１
0003163140.tif 000002
【実用新案登録請求の範囲】
【請求項１】
ハニカムコアの上下端縁を被うように上面板及び下面板を固定して成るハニカムベンチにおいて、
前記上面板及び下面板の各内側面に当接又は近接させて、上面板及び下面板のほぼ全面に管路を張り巡らし、
当該管路内に一定の温度の冷温媒体を挿通する構成としたことを特徴とする、機器搭載用ハニカムベンチ。
【請求項２】
前記管路に冷温媒体を送る送り手段を設けたことを特徴とする、請求項１に記載の機器搭載用ハニカムベンチ。
【請求項３】
前記管路に挿通する冷温媒体を一定の温度に保持する制御手段を設けたことを特徴とする、請求項１又は２に記載の機器搭載用ハニカムベンチ。
【請求項４】
前記管路を、冷温媒体を循環させる管路としたことを特徴とする、請求項１、２又は３のいずれかに記載の機器搭載用ハニカムベンチ。
【請求項５】
ハニカムコアの上下端縁を被うように上面板及び下面板を固定して成るハニカムベンチにおいて、
前記上面板及び下面板の各内側面に当接させて、当該上面板及び下面板のほぼ全面にニクロム線を張り巡らし、
当該ニクロム線に通電させる端子をハニカムベンチに設け、
前記端子と電源との間に、前記ニクロム線の発熱温度を制御可能な調整手段を接続したことを特徴とする、機器搭載用ハニカムベンチ。
【考案の詳細な説明】
【技術分野】
【０００１】
この考案は、主にレーザー等を光源に用いた光学式の測長装置等を搭載して微小の距離等を測る、機器搭載用ハニカムベンチに関するものである。
【背景技術】
【０００２】
従来、ベンチと言われる定盤にレーザーを光源としたレーザー測長装置を載置して、当該ベンチの上で微小な距離を測ることが行われているが、これに用いるベンチは、特許文献１に示すように、軽量かつ剛性を有するため、アルミやスチール、非磁性のステンレスのハニカムベンチが多く使用されている。
【０００３】
これらのハニカムベンチは、空気の容積率が約９０パーセント有り、夏や冬等の気温の変化や室温の変化によって伸びたり縮んだりする。また、搭載した機器に熱源がある場合も、設置した周辺のベンチの上面板が伸びる。この様にベンチが全体に又は部分的に伸びたり、縮んだりすると、この上での測長では測定する距離が狂ってしまい、測定が不正確になってしまう。
【０００４】
【特許文献１】実公平３−２５４５２号公報
【考案の開示】
【考案が解決しようとする課題】
【０００５】
しかし、前記ハニカムベンチを収容した室内の温度を常時一定に保つには、極めて精密な空気調和装置が必要であり、大掛かりで高価な設備となってしまう。また、部分的な伸び等を補うことも技術的に難しい。
【０００６】
そこでこの考案は、この様な機器搭載用のハニカムベンチの部材の伸びや縮みを抑制するように、ベンチの上下面の温度を一定に保つ、極めて簡単で安価な装置を提供することを目的としたものである。
【課題を解決するための手段】
【０００７】
請求項１の考案は、ハニカムコアの上下端縁を被うように上面板及び下面板を固定して成るハニカムベンチにおいて、前記上面板及び下面板の各内側面に当接又は近接させて、上面板及び下面板のほぼ全面に管路を張り巡らし、当該管路内に一定の温度の冷温媒体を挿通する構成とした、機器搭載用ハニカムベンチとした。
【０００８】
また、請求項２の考案は、請求項１の考案において、前記管路に冷温媒体を送る送り手段を設けた、機器搭載用ハニカムベンチとした。
【０００９】
また、請求項３考案は、請求項１又は２の考案において、前記管路に挿通する冷温媒体を一定の温度に保持する制御手段を設けた、機器搭載用ハニカムベンチとした。
【００１０】
また、請求項４の考案は、請求項１、２又は３のいずれかの考案において、前記管路を、冷温媒体を循環させる管路とした、機器搭載用ハニカムベンチとした。
【００１１】
また、請求項５の考案は、ハニカムコアの上下端縁を被うように上面板及び下面板を固定して成るハニカムベンチにおいて、前記上面板及び下面板の各内側面に当接させて、当該上面板及び下面板のほぼ全面にニクロム線を張り巡らし、当該ニクロム線に通電させる端子をハニカムベンチに設け、前記端子と電源との間に、前記ニクロム線の発熱温度を制御可能な調整手段を接続した、機器搭載用ハニカムベンチとした。
【考案の効果】
【００１２】
請求項１の考案によれば、ベンチの上下面板の内側に張り巡らした管路に、一定の温度の冷温媒体を挿通することができる為、所望の一定の温度でベンチの上下面の温度を保持することができ、それ故、当該ベンチの上面板及び下面板の温度による伸縮を抑えることができる。従って、ベンチに搭載する機器、特に微小な距離を測定する機器の精度を保持することができる。また、前記冷温媒体には、冷水、温水、その他の流体、気体が含まれる。そのうち、冷水、特に水道水の場合は、ベンチの管路口に、水道の蛇口に接続したホースを接続することにより、一定温度の水を管路に容易に挿通することができる。この様にこの考案によれば、ハニカムベンチ自体を一定の温度に保持することができる為、大がかりな設備を要せず、簡単にハニカムベンチの上面及び下面の部材の伸縮を抑えることができる。
【００１３】
請求項２の考案は、管路に冷温媒体を送る送り手段を設けたので、種々の冷温媒体を管路内に挿通することができる。
【００１４】
また、請求項３の考案によれば、冷温媒体を一定の温度に保持する制御手段をも設けたので、極めて容易に冷温媒体を一定の温度に保持することができる。
【００１５】
また、請求項４の考案によれば、冷温媒体を管路で循環させるため、一定量の冷温媒体を長時間にわたって使用でき、多量の冷温媒体を必要とせず、コストを低く抑えることができる。
【００１６】
また、請求項５の考案は、簡単な構造にも関わらず、電圧調整手段によってニクロム線の発熱温度を一定温度に容易にコントロールすることができ、便利である。
【考案を実施するための最良の形態】
【００１７】
この考案は、ハニカムコアの上下端縁を被うように上面板及び下面板を固定して成るハニカムベンチにおいて、上面板及び下面板に近接させて、上面板及び下面板のほぼ全面に管路を張り巡らし、当該管路内に一定の温度の冷温媒体を挿通する構成としたため、容易にハニカムベンチの上下面の温度を保持でき、ベンチの上面板及び下面板の伸縮を制御することができる。  
【実施例１】
【００１８】
以下、この考案の実施例１を図に基づいて説明する。図１はこの考案のハニカムベンチの平面図、図２は同右側面図、図３は同一部省略正面図、図４は同ベンチの管路を示す説明平面図、図５は同ベンチの内部構造を示す一部破断斜視図、図６は同ベンチの一部縦断面図である。
【００１９】
この考案のハニカムベンチ１は、図５に示すように、多数の蜂の巣状の断面を有するハニカムコア２の上下端縁を被うように、上面板３及び下面板４を上下各端縁に接着材で固定して構成されている。また、図２、図３及び図５に示すように、ハニカムコア２の周囲は、上面板３及び下面板４の各辺に沿って設けられた側板５及び６に被われている。
【００２０】
そして前記上面板３の外面には、ほぼ一定間隔でネジ穴用タップ７が多数設けられている。これらのタップ７は、当該ハニカムベンチ１に搭載する機器を固定するため、当該機器の基盤に穿った孔を通してボルトを螺着するものである。
【００２１】
また、前記上面板３及び下面板４の各内側面に当接して、図１及び図４に示すように、夫々上面板３及び下面板４の一端から他端に、これをＵ字型に折り曲げて、他端から一端に、さらにＵ字型に折り曲げて一端から他端にと張り巡らした、銅から成る管路８を設けている。この実施例１では、この管路８を上下に４本夫々並べて設け、これにより、上面板３及び下面板４のほぼ全面に管路８が張り巡らされている。これらの各管路８は、ハニカムベンチ１の一端及び他端にそれぞれ挿入口８ａ及び排出口８ｂが設けられている。また、これらの管路８は内部に冷温水が挿通される。
【００２２】
また、前記各管路８は、具体的には、図６に示すように、ハニカムコア２の隔壁の上下端縁に切り欠きによるＵ字形状の溝２ａを設け、これらの溝２ａに管路８を嵌め入れ、その上から上面板３又は下面板４を、前記管路８及びハニカムコア２の上端縁又は下端縁に当て、耐熱性の接着剤により管路８及び上下端縁に固定したものである。これにより、各管路８は上面板３又は下面板４の内側面に当接又は近接して設けられる。また、この様にハニカムコア２の上下端縁に溝２ａを設けているため、ハニカムコア２の強度が低下するが、これを補うため、前記上面板３と下面板４の間に補強ボス９をわたして強度を保持している。この補強ボス９は上面板３の側から挿入したもの、下面板４の側から挿入した補強ボス９ａとが、間隔をあけて多数設けられている。
【００２３】
そして、別途設けた、一定温度の冷温水をポンプなどの送水手段（図示省略）により、各管路８の挿入口８ａから各管路８に送り込み、各管路８内に前記冷温水を流し、各管路８の排出口８ｂから当該排出口８ｂに接続したパイプ又はホース（図示省略）を介して適宜箇所に排出する。この管路８内の冷温水の温度を上面板３及び下面板４に伝達させ、これにより当該上面板３及び下面板４の温度を一定に保つものである。
【００２４】
従って、前記冷温水は、依存の冷却装置や加熱装置と温度制御装置（図示省略）を組み合わせることにより、その温度を一定に保って、前記管路８に送り込むことができ、前記温度制御手段により、所定の温度に調節も可能である。
【００２５】
また、前記実施例１では、４本の管路８を設け、各管路８の排出口８ｂから排出した冷温水を適宜箇所に排出しているが、これらの排出された冷温水を回収し、タンク（図示省略）にため、このタンクからボンプ等で再び各管路８の挿入口８ａに送り、冷温水を循環させる構造にすることもできる。
【００２６】
なお、前記実施例１では冷温水を管路８に挿通させたが、これに限らず、他の流体や気体を冷温媒体として挿通させることができる。また、前記実施例１では、管路８を上面板３及び下面板４の夫々内側面に当接又は近接させて配置させるのに、ハニカムコア２の隔壁の上下端縁にＵ字形状の溝２ａを設けてこれらの溝２ａに管路８を嵌め入れているが、この溝２ａは、Ｖ字型の溝でも、或いは円形孔を隔壁に開けて管路８を通しても良い。
【００２７】
また、上記実施例１では、ハニカムベンチ１の側面６から突出する管路８の各挿入口８ａ及び各排出口８ｂを夫々直線状に形成したが、これを図７に示すように、夫々Ｌ字型に形成し、さらに、上下の口をずらした位置にした挿入口８ａ´及び排出口８ｂ´としても良い。
【実施例２】
【００２８】
図８は、この考案の実施例２を示すもので、ハニカムベンチの平面図を示す。
【００２９】
このハニカムベンチ１１は、基本的には実施例１と同じ構造であり、ハニカムコアも、多数の蜂の巣状の断面を有するハニカムコアの上下端縁を被うように、上面板１２及び下面板（図示省略）を上下各端縁に接着材で固定して構成されている。また、実施例１のハニカムベンチ１１のハニカムコアの周囲は、上面板１２及び下面板の各辺に沿って設けられた側板に被われている。
【００３０】
そして、上面板１２の内側面及び下面板の内側面にニクロム線１３を夫々貼り付け、当該ニクロム線１３を上面板１２及び下面板のほぼ全面に張り巡らし、この状態で、前記上面板１２及び下面板をハニカムコアの上下端縁に耐熱性の接着剤で固定している。そして、上記ニクロム線１３の端子１３ａを当該ハニカムベンチ１１の一側板５に設けている。
【００３１】
そして、この端子１３ａに商用電源からのコードを接続し、これらの間にスライダック（図示省略）を介在させ、前記ニクロム線１３の発熱温度を調整するように電圧を調整できるようになっている。
【００３２】
また、前記実施例１及び２のハニカムベンチ１又は１１はアルミ製のものであるが、スチール製、非磁性のステンレス製のものでもよい。
【００３３】
さらに、この考案のハニカムベンチは防振台のベンチとして使用する外、実験台の上に載せたり、適宜の架台、机等に載せて使用するものである。
【図面の簡単な説明】
【００３４】
【図１】この考案の実施例１のハニカムベンチの平面図である。
【図２】この考案の実施例１のハニカムベンチの右側面図である。
【図３】この考案の実施例１のハニカムベンチの正面図である。
【図４】この考案の実施例１のハニカムベンチの管路を示す説明平面図である。
【図５】この考案の実施例1のハニカムベンチの内部構造を示す一部破断斜視図。
【図６】この考案の実施例１のハニカムベンチの一部縦断面図である。
【図７】この考案の実施例１のハニカムベンチの他の例を示す平面図である。
【図８】この考案の実施例２のハニカムベンチの平面図である。
【符号の説明】
【００３５】
１      ハニカムベンチ            ２      ハニカムコア
２ａ    溝                        ３      上面板
４      下面板                    ５      側板
６      側板                      ７      ネジ穴用タップ
８      管路                      ８ａ    挿入口
８ｂ    排出口                    ８ａ´  挿入口
８ｂ´  排出口                    ９      補強ボス
９ａ    補強ボス                  １１    ハニカムベンチ
１２    上面板                    １３    ニクロム線
１３ａ  端子                      
【図１】
0003163140.tif 000003
【図２】
0003163140.tif 000004
【図３】
0003163140.tif 000005
【図４】
0003163140.tif 000006
【図５】
0003163140.tif 000007
【図６】
0003163140.tif 000008
【図７】
0003163140.tif 000009
【図８】
0003163140.tif 000010